(57)【要約】【課題】  安価であるとともに取り扱いおよび施工が容易であり、十分な程度に換気ユニットを養生することが可能な換気ユニットの養生方法を提供する。【解決手段】  断熱材が敷設される天井裏に設置される換気ユニット１をシート２で覆って養生する養生方法であって、換気ユニット１の接続用管部１ａに対応する個所には前記接続用管部１ａの外径より小さな径の透孔４が形成され、かつ、該透孔４の周囲には所定数の切り込み５が形成されたシート２で前記換気ユニット１を覆う手順と、前記シート２の前記接続用管部１ａの貫通部を粘着テープ６により気密に封止する手順とを含んでいることを特徴とする。【選択図】  図１
2005134045.tif 000002
【特許請求の範囲】
【請求項１】
断熱材が敷設される天井裏に設置される換気ユニットをシートで覆って養生する養生方法であって、
換気ユニットの接続用管部に対応する個所には前記接続用管部の外径より小さな径の透孔が形成され、かつ、該透孔の周囲には所定数の切り込みが形成されたシートで前記換気ユニットを覆う手順と、
前記シートの前記接続用管部の貫通部を粘着テープにより気密に封止する手順
とを含んでいることを特徴とする換気ユニットの養生方法。
【請求項２】
前記シートの縁の所要個所を天井パネル被覆材に固定する手順が付加されていることを特徴とする請求項１記載の換気ユニットの養生方法。
【請求項３】
天井裏に設置される換気ユニットを養生するシートであって、
換気ユニットの接続用管部に対応する個所には前記接続用管部の外径より小さな径の透孔が形成され、かつ、該透孔の周囲には所定数の切り込みが形成されてなることを特徴するシート。
【発明の詳細な説明】
【技術分野】
【０００１】
本発明は，換気ユニットの養生方法に関する。さらに詳しくは，設置作業を終えた換気ユニットについて養生を施すための換気ユニットの養生方法に関する。
【背景技術】
【０００２】
天井裏に設置される換気ユニットにおいては、図５に示すように、換気ユニット１００が天井面材１０１の上に敷き詰められる断熱材１０２に埋まってしまう場合があり、このように換気ユニットが断熱材に埋まると、換気ユニット内部に断熱材が入り込み、故障等の不具合を引き起こすおそれがあるといった問題がある。
【０００３】
また、このような状態では、図６に示すように、通風口カバー１０３をメンテナンス時等に外す際に換気ユニット１００の周囲に侵入した断熱材１０２が落下して、断熱性の低下を招くと共に、建物内部が汚染されるといった問題も生ずる。
【０００４】
このような不都合を避けるために、図７に示すように、換気ユニット１００をシート１０４で覆うといった養生方法が考えられる。しかしながら、この方法では、換気ユニット１００に接続されるダクト１０５を通すためにシート１０４に設けられた孔１０６から、内部に断熱材が侵入しやすく、十分な養生効果を発揮できないといった問題がある。
【０００５】
このため、図８に示すように、専用の断熱ボックス１０７を用いて換気ユニット１００を囲う養生方法が行われている。ところが、このような断熱ボックス１０７は、通常、シート等と比較して高価であり、コスト上昇の要因となる。また、シート等と比較して嵩張るものであるため、天井裏への運び入れ等に困難を伴うことも多く、取り扱いに不便であるといった問題がある。
【発明の開示】
【発明が解決しようとする課題】
【０００６】
本発明はかかる従来技術の課題に鑑みなされたものであって、安価であるとともに取り扱いおよび施工が容易であり、十分な程度に換気ユニットを養生することが可能な換気ユニットの養生方法を提供することを目的としている。
【課題を解決するための手段】
【０００７】
本発明の換気ユニットの養生方法は、断熱材が敷設される天井裏に設置される換気ユニットをシートで覆って養生する養生方法であって、換気ユニットの接続用管部に対応する個所には前記接続用管部の外径より小さな径の透孔が形成され、かつ、該透孔の周囲には所定数の切り込みが形成されたシートで前記換気ユニットを覆う手順と、前記シートの前記接続用管部の貫通部を粘着テープにより気密に封止する手順とを含んでいることを特徴とする。
【０００８】
本発明の換気ユニットの養生方法においては、前記シートの縁の所要個所を天井パネル被覆材に固定する手順が付加されているのが好ましい。
【０００９】
本発明のシートは、天井裏に設置される換気ユニットを養生するシートであって、換気ユニットの接続用管部に対応する個所には前記接続用管部の外径より小さな径の透孔が形成され、かつ、該透孔の周囲には所定数の切り込みが形成されてなることを特徴する。
【発明の効果】
【００１０】
本発明によれば、低コストかつ簡易でしかも充分に換気ユニットの養生がなし得る。
【発明を実施するための最良の形態】
【００１１】
以下、添付図面を参照しながら本発明を実施形態に基づいて説明するが、本発明はかかる実施形態のみに限定されるものではない。
【００１２】
図１に本発明の一実施形態に係る換気ユニットの養生方法が適用された養生換気ユニットＫを斜視図により示す。
【００１３】
同図に示すように、換気ユニットの養生方法は、建物天井に設置された換気ユニット１に養生を施すため、換気ユニット１を養生用部材であるシート２により覆ってなるものとされる。
【００１４】
換気ユニット１は、概略直方体形状とされ、天井面材（不図示である）等を支持する下地材３の上に載置された状態で取り付けられる。また、前記天井面材の上にはポリエチレンシート（不図示である）が敷かれ、その上に換気ユニット１が埋まる程度の厚さに断熱材（不図示である）が敷き詰められる。
【００１５】
図２に、シート２の詳細を示す。シート２は、例えばビニールからなる方形シートとされ、換気用ダクト（不図示である）が接続される換気ユニット１の接続用管部１ａ等の突出物を通すための孔４が対応位置に設けられてなるものとされる。また、シート２は、換気ユニット１の上面および各側面を包むように覆った後に、所定幅の貼り代２ａ（図１参照）が余るように形成される。
【００１６】
図３に示すように、孔４は、周囲に所定数（図示例では、９０°毎に４個）の切り込み５が半径方向に所定長さで設けられてなるものとされる。また、孔４の径は、対応する接続用管部１ａの径よりも小さくされている。この切り込み５により、孔４の径が対応する接続用管部１ａの径よりも小さくされていても、接続用管部１ａの挿通が支障なくなし得る。
【００１７】
しかして、図４に示すように、シート２は、孔４に接続用管部１ａを挿通したときの余りの部分を粘着テープ６で押さえた状態で、換気ユニット１に装着される。つまり、シート２おける接続用管部１ａの貫通部が気密とされる。これにより、孔４を通した断熱材の侵入が確実に防止される。また、天井面材上面に設けられるポリエチレンシートにおいてもシート２の貼り代２ａつまり縁との十分な重ね代を確保すれば、要所を例えば粘着テープで貼り合わせることにより、そこからの断熱材の侵入防止が可能となる。
【００１８】
このように、実施形態の養生構造Ｋは、例えばビニール製のシート２により換気ユニット１を覆うようにして、天井裏に設置される換気ユニット１に養生を施すものとされる。したがって、前記断熱ボックス等により換気ユニット１を覆う場合と比較して、非常に安価に換気ユニット１に養生を施すことが可能となる。また、シート２がビニール製であるため、天井裏への養生用部材の搬入も容易となり、段取りが容易となる。これにより、施工も容易となる。
【００１９】
また、養生用部材として柔軟性のあるビニール製のシート２を用いているため、接続用管部１ａ等を通すための孔４の周囲をテープ止めにより管部１ａ外周と密着させることが可能であり、簡易な取付作業で前記断熱材ボックスを用いた場合と同程度以上の養生効果を発揮させることができる。
【産業上の利用可能性】
【００２０】
このように、本発明は建物に設置される換気ユニットの養生に適用できる。
【図面の簡単な説明】
【００２１】
【図１】本発明の一実施形態に係る換気ユニットの養生方法が適用された養生換気ユニットを示す斜視図である。
【図２】同方法に用いられる養生用部材としてのシートを模式的に示す図である。
【図３】同シートの要部詳細を示す図である。
【図４】同シートを換気ユニットに装着した状態での要部詳細を示す図である。
【図５】従来の換気ユニット設置構造における問題点を示す図である。
【図６】従来の換気ユニット設置構造における別の問題点を示す図である。
【図７】従来の換気ユニットの養生方法の一例を示す図である。
【図８】従来の換気ユニットの養生方法の他の一例を示す図である。
【符号の説明】
【００２２】
Ｋ    養生換気ユニット
１    換気ユニット
１ａ  接続用管部
２    シート（養生用部材）
４    孔
５    切り込み
【図１】
2005134045.tif 000003
【図２】
2005134045.tif 000004
【図３】
2005134045.tif 000005
【図４】
2005134045.tif 000006
【図５】
2005134045.tif 000007
【図６】
2005134045.tif 000008
【図７】
2005134045.tif 000009
【図８】
2005134045.tif 000010